(57)【要約】【目的】家電販売店舗用テレビの配置自由度を高めるとともに、配線簡略化及び省スペース化を実現することができる家電販売店舗用テレビ視聴システム及びテレビ視聴用アンテナを提供すること。【解決手段】システム１は、屋外に取り付けられるＵＨＦアンテナ２と、これに接続されデジタル波Ｗ１を増幅し増幅された増幅デジタル波Ｗ２を出力する増幅器３と、増幅器３に接続され増幅デジタル波Ｗ２を無線中継アンテナ５に分配デジタル波Ｗ３として分配する分配器４と、を備える。無線中継アンテナ５は、分配デジタル波Ｗ３が無線中継アンテナ５の全部又は一部から、屋内デジタル波Ｗ４として無線で送信された場合に、これを当該店舗内の全エリアで受信できるように配置される。屋内デジタル波Ｗ４は、当該店舗内のテレビの背面又は壁面に取り付けられるアンテナ１０，２０，３０等によって受信される。【選択図】図１
2012114762.tif 000002
【特許請求の範囲】
【請求項１】
屋外に取り付けられるデジタル波を受信する屋外デジタル波受信手段と、
前記屋外デジタル波受信手段に接続され、前記デジタル波を増幅し、増幅された増幅デジタル波を出力する増幅手段と、
前記増幅手段に接続され、前記増幅デジタル波を当該家電販売店舗に設けられる複数の無線中継アンテナに分配デジタル波として分配するデジタル波分配手段とを備え、
前記分配デジタル波が前記複数の無線中継アンテナの全部又は一部から、屋内デジタル波として無線で送信された場合に、当該屋内デジタル波を前記家電販売店舗内の全エリアで受信できるように、前記複数の無線中継アンテナが配置されるとともに、
前記屋内デジタル波は、複数の家電販売店舗用テレビの背面又は壁面に取り付けられる複数のテレビ視聴用アンテナによって受信されることを特徴とする家電販売店舗用テレビ視聴システム。
【請求項２】
延長コネクタと、
前記延長コネクタに接続されるＬ型コネクタと、
前記Ｌ型コネクタに接続される屋内デジタル波を受信するスティック型アンテナと、を備えたことを特徴とするテレビ視聴用アンテナ。
【請求項３】
湾曲コネクタと、
フランジ部分が形成された筒状筐体であって、当該フランジ部分と当該筒状部との境目部分に前記湾曲コネクタが挿通可能な切り欠きが形成された第一筒状筐体と、
前記湾曲コネクタに接続され、線対称に設けられる複数のフラット型アンテナ素子部からなるミラー型アンテナ本体と、
前記ミラー型アンテナ本体を収納する断面略扇形輪郭形状の筐体であって前記第一筒状筐体に回動可能に設けられる第一アンテナ収納筐体と、を備えたことを特徴とするテレビ視聴用アンテナ。
【請求項４】
湾曲コネクタと、
フランジ部分が形成された第二筒状筐体と、
前記第二筒状筐体に回動可能に設けられる筒状取付治具と、
前記湾曲コネクタに接続され、線対称に設けられる複数のフラット型アンテナ素子部からなるミラー型アンテナ本体と、
前記ミラー型アンテナ本体を収納する断面略扇形輪郭形状の筐体であって前記筒状取付治具の側面に回動可能に設けられる第二アンテナ収納筐体と、を備えたことを特徴とするテレビ視聴用アンテナ。
【請求項５】
請求項１に記載の屋内デジタル波を受信するために用いられる請求項２〜４のいずれかに記載のテレビ視聴用アンテナ。
【請求項６】
請求項２〜４のいずれかに記載のテレビ視聴用アンテナを用いた請求項１に記載の家電販売店舗用テレビ視聴システム。
【発明の詳細な説明】
【技術分野】
【０００１】
本発明は、家電販売店舗用テレビ視聴システム及びテレビ視聴用アンテナに関し、更に詳しくは、ギャップフィラー技術及びＵＨＦ帯域アンテナを用いることにより、家電販売店舗用テレビの配置自由度を高めるとともに、配線簡略化を図る技術に関する。
【背景技術】
【０００２】
家電販売店舗においては、販売用テレビの展示は当該テレビの背面を壁面に密着させた状態（厳密には密着させることは配線等の関係上できないため、密着させた状態に近い状態）にして配置することが行われている。しかも、屋外に設置されたアンテナから増幅器等を経由して、放送波伝送線（以下単に「伝送線」という）が家電販売店舗用の複数の各テレビの背面に設けられたアンテナ信号入力端子に接続される。これにより、アンテナで受信された放送波が伝送線を経由して複数の各テレビに入力され、映像・音声として出力されることにより視聴が可能である。
【先行技術文献】
【特許文献】
【０００３】
【特許文献１】特開２００５−０７２６４５
【発明の概要】
【発明が解決しようとする課題】
【０００４】
しかしながら、上記従来のように伝送線を複数の各テレビの信号入力端子に接続（有線）する場合には家電販売店舗では数台〜数十台のテレビを展示する関係で配線が非常に複雑になるという問題がある。更に、配線を隠すために壁面設置をせざるを得ないという問題がある。しかも、有線であるため、配線が届く範囲の場所にしか販売用テレビを設置することができず、結局、各テレビの設置場所が限られ、レイアウト変更がしにくいという問題がある。
【０００５】
また、家電販売店舗用で無線でアナログ波を飛ばした場合、壁面での反射等によりそのアナログ波が重なり位相差により遅延しゴースト現象が生じるため、結局、複数台の販売用テレビに一台ずつ有線で伝送線を接続するしかない。また、ゴースト現象が生じる可能性を考慮すると設置場所を離したとしても複数台のアナログアンテナを店内に設置することは考えにくい。従って、各テレビの設置場所が限られ、レイアウト変更がしにくいという問題は解消されない。
【０００６】
２００３年１２月に開始された地上デジタル放送の場合、複数のデジタル放送波が重なっても、最も強いデジタル波が選択されるので壁面反射等によるゴースト現象が生じない。
そこで、この性質を利用して配線簡略化及び省スペース化を図った技術として、例えば、特許文献１に記載の屋内で地上デジタル放送波を中継するために用いられるホームギャップフィラー用再送信アンテナ及び簡易受信アンテナが知られている。この技術は、当該ホームギャップフィラー用再送信アンテナを家庭用室内の照明器具に取り付けることで配線簡略化及び省スペース化を図ったものである。当該簡易受信アンテナはダイポールアンテナで、当該再送信アンテナから送信された円偏波による再送信波を受信する第一のアンテナエレメントと、当該第一のアンテナエレメントに直交して配置される第二のアンテナエレメントとから構成される。
【０００７】
しかしながら、特許文献１に記載の技術は家庭用円形蛍光灯を活用して配線簡略化及び省スペース化を図ったものであるため、家電販売店舗には応用が難しい。
【０００８】
本発明は、上記事情に鑑みてなされたものであり、家電販売店舗用テレビの配置自由度を高めるとともに、配線簡略化及び省スペース化を実現することができる家電販売店舗用テレビ視聴システム及びテレビ視聴用アンテナを提供することを目的とする。
【課題を解決するための手段】
【０００９】
上記課題を解決するために、本発明に係る家電販売店舗用テレビ視聴システムは、屋外に取り付けられるデジタル波を受信する屋外デジタル波受信手段と、
前記屋外デジタル波受信手段に接続され、前記デジタル波を増幅し、増幅された増幅デジタル波を出力する増幅手段と、
前記増幅手段に接続され、前記増幅デジタル波を当該家電販売店舗に設けられる複数の無線中継アンテナに分配デジタル波として分配するデジタル波分配手段とを備え、
前記分配デジタル波が前記複数の無線中継アンテナの全部又は一部から、屋内デジタル波として無線で送信された場合に、当該屋内デジタル波を前記家電販売店舗内の全エリアで受信できるように、前記複数の無線中継アンテナが配置されるとともに、
前記屋内デジタル波は、複数の家電販売店舗用テレビの背面又は壁面に取り付けられる複数のテレビ視聴用アンテナによって受信されることを要旨とする。
【００１０】
上記課題を解決するために本発明に係るテレビ視聴用アンテナは、
延長コネクタと、
前記延長コネクタに接続されるＬ型コネクタと、
前記Ｌ型コネクタに接続される屋内デジタル波を受信するスティック型アンテナと、を備えたことを要旨とする。
【００１１】
上記課題を解決するために本発明に係る他のテレビ視聴用アンテナは、
湾曲コネクタと、
フランジ部分が形成された筒状筐体であって、当該フランジ部分と当該筒状部との境目部分に前記湾曲コネクタが挿通可能な切り欠きが形成された第一筒状筐体と、
前記湾曲コネクタに接続され、線対称に設けられる複数のフラット型アンテナ素子部からなるミラー型アンテナ本体と、
前記ミラー型アンテナ本体を収納する断面略扇形輪郭形状の筐体であって前記第一筒状筐体に回動可能に設けられる第一アンテナ収納筐体と、を備えたことを要旨とする。
【００１２】
上記課題を解決するために、本発明に係る更なる他のテレビ視聴用アンテナは
湾曲コネクタと、
フランジ部分が形成された第二筒状筐体と、
前記第二筒状筐体に回動可能に設けられる筒状取付治具と、
前記湾曲コネクタに接続され、線対称に設けられる複数のフラット型アンテナ素子部からなるミラー型アンテナ本体と、
前記ミラー型アンテナ本体を収納する断面略扇形輪郭形状の筐体であって前記筒状取付治具の側面に回動可能に設けられる第二アンテナ収納筐体と、を備えたことを要旨とする。
【００１３】
本発明に係る家電販売店舗用テレビ視聴システムは、本発明に係るテレビ視聴用アンテナを用いることが好ましく、また、本発明に係るテレビ視聴用アンテナは本発明に係る家電販売店舗用テレビ視聴システムに用いて好ましい。
【発明の効果】
【００１４】
本発明に係る家電販売店舗用テレビ視聴システムは、分配デジタル波が複数の無線中継アンテナの全部又は一部から屋内デジタル波として送信された場合に、当該屋内デジタル波を前記家電販売店舗内の全エリアで受信できるように、前記複数の無線中継アンテナが配置されるため、テレビを当該家電販売店舗内のどこにでも展示することができ、テレビの配置自由度を高めることができるという効果がある。本発明に係る家電販売店舗用テレビ視聴システムは、上記構成に加え、更に、前記屋内デジタル波が、複数の家電販売店舗用テレビの背面に取り付けられる背面アンテナによって受信されるものであるから、放送波を有線でテレビに入力する必要がなくなるため、配線簡略化ができるという効果がある。また、配線簡略化により省スペース化もできるという効果がある。
【００１５】
本発明に係るテレビ視聴用アンテナは、延長コネクタと、前記延長コネクタに接続されるＬ型コネクタと、前記Ｌ型コネクタに接続される屋内デジタル波を受信するスティック型アンテナとを備えたため、テレビ背面に設けられるＵＨＦ入力端子に延長コネクタを接続すれば、配線簡略化及び省スペース化を実現することができる。そのため、テレビの配置自由度を高めることができる。
【００１６】
本発明に係るテレビ視聴用アンテナは、フランジ部分が形成された筒状筐体であって、当該フランジ部分と当該筒状部との境目部分に前記湾曲コネクタが挿通可能な切り欠きが形成された第一筒状筐体と、前記湾曲コネクタに接続され、線対称に設けられる複数のフラット型アンテナ素子部からなるミラー型アンテナ本体と、前記ミラー型アンテナ本体を収納する断面略扇形輪郭形状の筐体であって前記第一筒状筐体に回動可能に設けられる第一アンテナ収納筐体とを備えたため、（ａ）テレビ背面に設けられるＵＨＦ入力端子に湾曲コネクタを接続し、（ｂ）フランジ部分を壁面や背面合わせで配置される他のテレビ背面に取り付け、あるいは、テレビ上面に設置すれば、配線簡略化及び省スペース化を実現することができる。そのため、テレビの配置自由度を高めることができる。また、第一アンテナ収納筐体は、回動可能であるため、指向性を高めることができる。
【００１７】
本発明に係るテレビ視聴用アンテナは、湾曲コネクタと、フランジ部分が形成された第二筒状筐体と、前記第二筒状筐体に回動可能に設けられる筒状取付治具と、前記湾曲コネクタに接続され、線対称に設けられる複数のフラット型アンテナ素子部からなるミラー型アンテナ本体と、前記ミラー型アンテナ本体を収納する断面略扇形輪郭形状の筐体であって前記筒状取付治具の側面に回動可能に設けられる第二アンテナ収納筐体とを備えたため、テレビ背面に設けられるＵＨＦ入力端子に湾曲コネクタを接続し、（ａ）テレビ背面に設けられるＵＨＦ入力端子に湾曲コネクタを接続し、（ｂ）フランジ部分を壁面や背面合わせで配置される他のテレビ背面に取り付け、あるいは、テレビ上面に設置すれば、配線簡略化及び省スペース化を実現することができる。そのため、テレビの配置自由度を高めることができる。また、筒状取付治具及び第二アンテナ収納筐体は、それぞれ回動可能であるため、指向性を更に高めることができる。
【図面の簡単な説明】
【００１８】
【図１】本発明の一実施形態に係る家電販売店舗用テレビ視聴システム１のシステム構成図である。
【図２】本発明の一実施形態に係る（ａ）第一のテレビ視聴用アンテナ１０の外観図、（ｂ）延長コネクタ１１の外観図、（ｃ）Ｌ型コネクタ１２の外観図である。
【図３】第一のテレビ視聴用アンテナ１０をテレビ６の背面に取り付けた状態を示す図面代用写真である。
【図４】本発明の一実施形態に係る第二のテレビ視聴用アンテナ２０の（ａ）外観斜視図、（ｂ）平面図、（ｃ）正面図、（ｄ）背面図、（ｅ）側面図、（ｆ）底面図である。
【図５】第二のテレビ視聴用アンテナ２０の（ａ）Ｅ−Ｅ線（図４参照）部分断面図、（ｂ）Ｆ−Ｆ線（同図参照）部分断面図である。
【図６】第二のテレビ視聴用アンテナ２０の（ａ）フラット型アンテナ素子部２３ａ，２３ｂの構成図、（ｂ）ミラー型アンテナ本体２３の構成図である。
【図７】本発明の一実施形態に係る第三のテレビ視聴用アンテナ３０の外観斜視図である。
【図８】第三のテレビ視聴用アンテナ３０の（ａ）平面図、（ｂ）側面図、（ｃ）正面図、（ｄ）背面図である。
【符号の説明】
【００１９】
１  家電販売店舗用テレビ視聴システム（家電販売店舗用テレビ視聴システム）
２  屋外ＵＨＦアンテナ（屋外デジタル波受信手段）
３  増幅器（増幅手段）
４  分配器（デジタル波分配手段）
５  無線中継アンテナ（無線中継アンテナ）
６  テレビ
Ｗ１  ＵＨＦ帯域デジタル波（デジタル波）
Ｗ２  ＵＨＦ帯域デジタル波を増幅した増幅デジタル波（増幅デジタル波）
Ｗ３  増幅デジタル波を分配した分配デジタル波（分配デジタル波）
Ｗ４  屋内デジタル波（屋内デジタル波）
１０  テレビ視聴用アンテナ（テレビ視聴用アンテナ）
１１  延長コネクタ（延長コネクタ）
１２  Ｌ型コネクタ（Ｌ型コネクタ）
１３  スティック型アンテナ（スティック型アンテナ）
２０  テレビ視聴用アンテナ（テレビ視聴用アンテナ）
２１  湾曲コネクタ（湾曲コネクタ）
２２  第一筒状筐体（第一筒状筐体）
２３  ミラー型アンテナ本体（ミラー型アンテナ本体）
２４  第一アンテナ収納筐体（第一アンテナ収納筐体）
３０  テレビ視聴用アンテナ（テレビ視聴用アンテナ）
３１  筒状取付治具
３２  第二筒状筐体（第二筒状筐体）
３４  第二アンテナ収納筐体（第二アンテナ収納筐体）
【発明を実施するための形態】
【００２０】
以下に図面を参照して本発明の実施形態について説明する。
（家電販売店舗用テレビ視聴システム１）
図１に示す家電販売店舗用テレビ視聴システム１は、使用場所は特に限定されないが、家電販売店舗で用いるのに特に好適であり、屋外ＵＨＦアンテナ２と、増幅器３と、分配器４と、無線中継アンテナ５と、テレビ視聴用アンテナ１０，２０，３０と、テレビ６とを備える。
【００２１】
屋外ＵＨＦアンテナ２は、屋外に取り付けられ、ＵＨＦ帯域デジタル波Ｗ１を受信するものである。屋外ＵＨＦアンテナ２は、ＵＨＦ帯域デジタル波Ｗ１を受信できるものであれば特に限定されない。
増幅器３は、屋外ＵＨＦアンテナ２に接続され、デジタル波Ｗ１を増幅し、増幅された増幅デジタル波Ｗ２を出力するものである。
分配器４は、増幅器３に接続され、増幅デジタル波Ｗ２を当該家電販売店舗に設けられる複数の無線中継アンテナ５に分配デジタル波Ｗ３として分配する。また、増幅器３及び分配器４は、いわゆるギャップフィラー装置（特に、小型アンテナ方式のギャップフィラー装置が好ましい）で代替してもよい。
【００２２】
複数の無線中継アンテナ５は、その全部又は一部から分配デジタル波Ｗ３が屋内デジタル波Ｗ４として無線で送信された場合に、当該屋内デジタル波Ｗ４を当該家電販売店舗内の全エリア又は所望の特定エリアで受信できるように配置される。従って、複数のテレビ６は、当該家電販売店舗内のどこでも電波を受信することができるため、従来のように特定の配置箇所に限られることなく、当該家電販売店舗内のどこにでも配置することができる。従って、複数のテレビ６の配置自由度を高めることができる。
【００２３】
ここで、複数のテレビ視聴用アンテナ１０，２０，３０は、複数のテレビ６の背面（図３参照）又は壁面に取り付けられ、あるいは、背面合わせで配置される他のテレビ背面、更には、テレビ６上面等に取り付け又は配置され、屋内デジタル波Ｗ４を受信する。複数のテレビ６は、テレビ視聴用アンテナ１０，２０，３０によって受信された各電波を映像や音声として出力する。複数のテレビ視聴用アンテナ１０，２０，３０として、家電販売店舗用テレビ視聴システム１は、以下に説明する第一〜第三のテレビ視聴用アンテナ１０，２０，３０のいずれか又は複数を組み合わせて用いることができる。
【００２４】
上記のように、複数の無線中継アンテナ５と複数のテレビ視聴用アンテナ１０，２０，３０とは、無線で屋内デジタル波Ｗ４を送信又は受信する。従って、複数の無線中継アンテナ５と複数のテレビ視聴用アンテナ１０，２０，３０とを接続するためのケーブルが不要となり、配線簡略化及び省スペース化を実現することができる。送受信される電波は屋内デジタル波Ｗ４であるため、従来のアナログ放送では問題となっていたゴースト現象は回避される。
【００２５】
（第一のテレビ視聴用アンテナ１０）
図２（ａ）に示すように、テレビ視聴用アンテナ１０は、延長コネクタ１１と、Ｌ型コネクタ１２と、スティック型アンテナ１３とを備える。
同図（ｂ）に示す延長コネクタ１１は、テレビ６の背面に設けられるＵＨＦ帯域波入力端子（Ｆ規格準拠）に接続される。ここで、同図（ｂ）（i）は矢示Ａ方向から、同図（ｂ）（iii）は矢示Ｂ方向から視た図である。延長コネクタ１１（Ｆ規格準拠）は、金属製の外表皮１４が同軸ケーブル１５を被覆した構造を備える。
【００２６】
ここで、同図（ｂ）に示す同軸ケーブル１５は、例えば、テレビジョン受信用同軸ケーブル（例えば、ＪＩＳ  Ｃ３５０１準拠）と同様の構造を備える。すなわち、同軸ケーブル１５は、衛星放送を含むテレビや関連機器間の接続に用いられるもので、内部導体１５ａ、絶縁体１５ｂ、外部導体１５ｃ、シース１５ｄから構成される。本実施形態においては、例えば、延長コネクタ１１として、減衰量が０ｄＢに設定されたアッテネータを用いることが好ましい。内部導体１５ａ及び外部導体１５ｃは、それぞれ、以下に説明するＬ型コネクタ１２の内部導体１２ａ及び外部導体１２ｃに接続される。
【００２７】
同図（ｃ）に示すＬ型コネクタ１２（Ｆ規格準拠）は、内部導体１２ａと、外部導体１２ｃとを備え、上記のように延長コネクタ１１に接続されるとともに、以下に説明するスティック型アンテナ１３に接続される。ここで、同図（ｃ）（ii）は矢示Ｃ方向から、同図（ｃ）（iii）は矢示Ｄ方向から視た図である。
同図（ａ）に示すスティック型アンテナ１３は、スティック型アンテナ本体１３ａと、絶縁部１３ｂと、Ｆ型接栓部１３ｃとからなり、Ｌ型コネクタ１２に接続され、屋内デジタル波Ｗ４を受信する。スティック型アンテナ本体１３ａの芯線がＬ型コネクタ１２の内部導体１２ａに接続され、Ｆ型接栓部１３ｃが外部導体１２ｃに接続される。
図３にテレビ視聴用アンテナ１０をテレビ６の背面に設けられるＵＨＦ帯域波入力端子に取り付けた一例を示す。テレビ視聴用アンテナ１０によれば、屋内デジタル波Ｗ４が無線で受信できるため、配線簡略化及び省スペース化が実現される。従って、テレビの配置自由度が高められる。
【００２８】
（第二のテレビ視聴用アンテナ２０）
図４〜図６に示すように、テレビ視聴用アンテナ２０は、湾曲コネクタ２１（図５、図７参照）と、第一筒状筐体２２と、ミラー型アンテナ本体２３と、第一アンテナ収納筐体２４とを備える。テレビ視聴用アンテナ２０は、高さ（奥行き）が１０〜１５ｃｍ程度の小型のものである。
第一筒状筐体２２は、フランジ部分２２ａが形成された筒状筐体である。第一筒状筐体２２は、そのフランジ部分２２ａとその筒状部との境目部分からラジアル方向にフランジ部分２２ａの周縁まで湾曲コネクタ２１が挿通可能な切り欠き２２ｂが形成される。従って、テレビ６が壁面に沿って設置される場合には、当該フランジ部分２２ａに形成される螺子孔２２ｃ等を介して螺子やビス等により、テレビ視聴用アンテナ２０を、壁面や背面合わせで配置される他のテレビ背面等に取り付ければテレビ視聴用アンテナ２０自体がテレビ画面側から隠れ、しかも、テレビ視聴用アンテナ２０が小型であるため、配線簡略化及び省スペース化を実現することができる。また、第一筒状筐体２２の上端部分は、後述する第一アンテナ収納筐体２４の底部中央部に連結可能且つ回動可能な嵌合構造、係合構造（図示略）が採用される。
【００２９】
ここで、湾曲コネクタ２１は、図示を省略するが、図２（ｂ）（iii）の符号１５で示す同軸ケーブルと同様の構成を備える。従って、湾曲コネクタ２１の同軸ケーブルについては、上記と同一の符号１５を用いて説明する。そのため、湾曲コネクタ２１を構成する同軸ケーブルとして、例えば、ＪＩＳ規格  Ｃ３５０１準拠のものが用いられるがこれに限定されない。湾曲コネクタ２１は、両端にＦ型接栓（内部導体１５ａ及び内部導体１５ｃを備える）が形成されるが、両端に形成される接続部分は、必要な信号を伝送できるものであれば特に限定されない。
湾曲コネクタ２１は、その一端のうち内部導体１５ａが後述するフラット型アンテナ素子部２３ａ（又は２３ｂ）の接続片２５ａ（又は２５ｂ）に接続され外部導体１５ｃが接続片２５ｂ（又は２５ａ）にそれぞれ接続される。そして、湾曲コネクタ２１の同軸ケーブル１５は、第一筒状筐体２２内部を挿通し、切り欠き２２ｂから外部へ案内され所定の又は適当な長さのところで金属製の外表皮（図示略）により被覆され、これにより、当該湾曲コネクタ２１の他端が形成される。当該湾曲コネクタ２１の他端は、テレビ６の背面に設けられるＵＨＦ帯域波入力端子（Ｆ規格準拠）に接続される。
【００３０】
図６（ｂ）に示すようにミラー型アンテナ本体２３は、同図（ａ）のフラット型アンテナ素子部２３ａ，２３ｂがミラーイメージで対向して設けられたもの、すなわち、これらが線対称に設けられたものからなる。本実施形態においては、二枚のフラット型アンテナ素子部２３ａ，２３ｂが用いられるがこれに限定されない。これらは平面視で略扇形輪郭形状（図４（ｂ）参照）を呈するように配置される。ここで、本明細書及び特許請求の範囲において、「略扇形輪郭形状」とは、扇形の輪郭のうち湾曲部分の輪郭を除外した形状に、扇形の中心部が扇形の外側へ膨出した形状をいう（図４等参照）。
【００３１】
フラット型アンテナ素子部２３ａ，２３ｂは、長方形状の枠導体２６（上枠導体２６ＵＰ，下枠導体２６ＬＯＷ、内枠導体２６ＩＮ，外枠導体２６ＯＵＴからなる）に縦横に格子導体２７（縦格子導体２７Ｔ及び横格子導体２７Ｙからなる）が設けられる。ミラー型アンテナ本体２３の線対称の対称軸に最も近い内枠導体２６ＩＮの中央部には、湾曲コネクタ２１の一端（内部導体１５ａ、外部導体１５ｃ）が接続される接続片２５ａ，２５ｂが形成されるが、接続片２５ａ，２５ｂの形成位置は特に限定されない。ミラー型アンテナ本体２３のうち接続片２５ａが湾曲コネクタ２１の内部導体１５ａに接続され、接続片２５ｂがその外部導体１５ｃに接続される（この逆でもよい）。
【００３２】
また、内枠導体２６ＩＮに隣接する縦格子導体２７Ｔｉｎと、当該線対称の対称軸から最も遠い外枠導体２６ＯＵＴとの間は等間隔に縦格子導体２７Ｔが設けられる。上枠導体２６ＵＰと下枠導体２６ＬＯＷとの間に設けられる横格子導体２７Ｙもまた等間隔に設けられるが、等間隔でなくてもよい。尚、各導体２６，２７は、厚さ０．５ｍｍ以内であり、幅Ｗ１が１〜５ｍｍ、間隔Ｗ２が１〜８ｍｍ、間隔Ｗ３が５〜１５ｍｍ、間隔Ｗ４が５〜１５ｍｍである。また、フラット型アンテナ素子部２３ａ，２３は、縦１０〜３０ｍｍ、幅８０〜１３０ｍｍである。これらのサイズは小型化の観点によるものであり、特に限定されない。
【００３３】
第一アンテナ収納筐体２４は、ミラー型アンテナ本体２３を収納する断面略扇形輪郭形状の筐体である。また、第一アンテナ収納筐体２４は、第一筒状筐体２２に回動可能に設けられる。具体的には、第一アンテナ収納筐体２４の底部中央部に、当該第一筒状筐体２２の上端部と連結可能な嵌合部、係合部、孔部、突起部等（図示略）が形成され、第一筒状筐体２２に回動可能に取り付けられる。これにより、第一アンテナ収納筐体２４に収納されるフラット型アンテナ素子部２３ａ，２３ｂが回動可能となり、屋内デジタル波Ｗ４に対する指向性が高まる。
【００３４】
（第三のテレビ視聴用アンテナ３０）
図７〜図８に示すように、テレビ視聴用アンテナ３０は、湾曲コネクタ２１と、筒状取付治具３１と、第二筒状筐体３２と、ミラー型アンテナ本体２３と、第二収納筐体３４とを備える。ここで、ミラー型アンテナ本体２３は、第二収納筐体３４に収納される。また、テレビ視聴用アンテナ３０の大きさは、テレビ視聴用アンテナ２０と同様である。湾曲コネクタ２１及びミラー型アンテナ本体２３は、テレビ視聴用アンテナ２０で用いたものと同様であるため、同じ符号を用いている。
【００３５】
筒状取付治具３１は、ミラー型アンテナ本体２３及びこれを収納する第二収納筐体３４を取り付けるための筒状の治具であり、第二筒状筐体３２に回動可能（矢示Ｇ方向）に嵌合、係合その他の類似手法により連結される。筒状取付治具３１は、外周側面に平面形状部分３１ａが形成され、当該平面形状部分３１ａに第二収納筐体３４と連結可能な嵌合部、係合部、孔部、突起部等が形成される。第二収納筐体３４は、当該嵌合部、係合部、孔部、突起部等に回動可能（矢示Ｈ方向）に取り付けられる。
第二筒状筐体３２は、フランジ部分３２ａが形成される。従って、テレビ６が壁面に沿って設置される場合には、当該フランジ部分３２ａに螺子孔等（図示省略）を設け、これを介して螺子やビス等で壁面に取り付ければアンテナ３０自体をテレビ画面側から隠すことができ、且つ、アンテナ３０が小型であるため、配線簡略化及び省スペース化を実現することができる。また、アンテナ３０は、テレビ６上等に載置してもよい。
【００３６】
第二収納筐体３４は、上記のように、ミラー型アンテナ本体２３を収納する断面略扇形輪郭形状の筐体であって筒状取付治具３１の平面形状部分３１ａに回動可能に連結される。従って、第二収納筐体３４は、フラット板アンテナ素子部２３ａ，２３ｂが位置する付近の扇形中央部３４ａに筒状取付治具３１と連結可能な嵌合部、係合部、孔部、突起部等が形成され、筒状取付治具３１に取り付けられる。すなわち、これに収納されるフラット型アンテナ素子部２３ａ，２３ｂがアンテナ３０の設置面に対して水平方向（矢示Ｇ方向）にも鉛直方向（矢示Ｈ方向）にも回動可能となり、屋内デジタル波Ｗ４に対する指向性がアンテナ２０よりも更に高まる。
【００３７】
屋内デジタル波Ｗ４を受信するために用いられるテレビ視聴用アンテナ１０，２０，３０は、上記の家電販売店舗用テレビ視聴システム１で用いることが特に好ましい。
以上本発明の一実施形態について説明したが、本発明は上記実施形態に限定されるものではなく、種々の改変が可能であるっｓ。上記説明では家電販売店舗用テレビ視聴システム１としたが、これに限定されるものではなく、例えば、複数台のテレビが設置される展示会、各種イベント等に応用することは本発明の範囲に含まれるものである。
【産業上の利用可能性】
【００３８】
本発明に係る家電販売店舗用テレビ視聴システム及びテレビ視聴用アンテナは、家電量販店舗内における家電製品の配置の自由度を高めるとともに省スペース化を図ることができるため、地上デジタル波受信機器の普及促進に供する点で産業上極めて有益である。
【図１】
2012114762.tif 000003
【図２】
2012114762.tif 000004
【図３】
2012114762.tif 000005
【図４】
2012114762.tif 000006
【図５】
2012114762.tif 000007
【図６】
2012114762.tif 000008
【図７】
2012114762.tif 000009
【図８】
2012114762.tif 000010
【手続補正書】
【提出日】平成22年12月7日(2010.12.7)
【手続補正１】
【補正対象書類名】明細書
【補正対象項目名】００３７
【補正方法】変更
【補正の内容】
【００３７】
屋内デジタル波Ｗ４を受信するために用いられるテレビ視聴用アンテナ１０，２０，３０は、上記の家電販売店舗用テレビ視聴システム１で用いることが特に好ましい。
以上本発明の一実施形態について説明したが、本発明は上記実施形態に限定されるものではなく、種々の改変が可能である。上記説明では家電販売店舗用テレビ視聴システム１としたが、これに限定されるものではなく、例えば、複数台のテレビが設置される展示会、各種イベント等に応用することは本発明の範囲に含まれるものである。